(57)【要約】【課題】多少の無理をすれば歩行ができる程度の脚の不自由な人のために、足の筋力をある程度使うことができ、使用時にも目立だつこともなく、コンパクトに収納できる歩行補助具を提供することを課題とする。【解決手段】歩行補助具として、使用者の腰又は胴回りに巻いて固定するベルトと、前記ベルトに両端が固定される、少なくとも一部が弾性により伸縮する部分を有する紐体であって、前記ベルトを使用者に固定した状態で下端の折り返しの位置が、使用者の足裏よりも高い位置に存する長さを有する紐体からなる歩行補助体とから構成する。【選択図】  図１
0003171272.tif 000002
【実用新案登録請求の範囲】
【請求項１】
使用者の腰又は胴回りに巻いて固定するベルトと、
前記ベルトに両端が固定される、少なくとも一部が弾性により伸縮する部分を有する紐体であって、前記ベルトを使用者に固定した状態で下端の折り返しの位置が、使用者の足裏よりも高い位置に存する長さを有する紐体からなる歩行補助体と
を有する歩行補助具。
【請求項２】
底部分に前記歩行補助体を通すループ状の紐通しが設けられた靴下を、さらに有する請求項１に記載の歩行補助具。
【請求項３】
使用者の腰又は胴回りに巻いて固定されるベルトに装着する歩行補助具であって、
少なくとも一部が弾性により伸縮する部分を有する紐体からなる本体部と、
前記本体部の両端に設けられる前記ベルトに固定するためのフック又はリングからなるベルト固定部とを有し、
前記本体部は、前記ベルト固定部を前記使用者が装着した前記ベルトに固定した状態において前記本体部の下端の折り返しの位置が、使用者の足裏よりも高い位置に存する長さを有する
歩行補助具。
【請求項４】
底部分に前記歩行補助体を通すループ状の紐通しが設けられた靴下を、さらに有する請求項３に記載の歩行補助具。
【考案の詳細な説明】
【技術分野】
【０００１】
本考案は脚の不自由な者の歩行を補助する器具に関する。
【背景技術】
【０００２】
従来、脚が不自由で歩行が困難な場合、松葉杖や車椅子が用いられることが一般的であった。
【考案の概要】
【考案が解決しようとする課題】
【０００３】
しかし、完全に脚が動かないのではなく、筋力が低下や、関節の変形などで歩行が困難な場合、松葉杖や車椅子を用いると脚の筋力が衰え、ますます歩行が困難になってしまうという問題がある。また、これらの器具は、大仰で収納や持ち運びに不便であるという問題もある。
本考案は、このような問題に鑑み、多少の無理をすれば歩行ができる程度の脚の不自由な人のために、足の筋力をある程度使うことができ、使用時にも目立だつこともなく、コンパクトに収納できる歩行補助具を提供することを課題とする。
【課題を解決するための手段】
【０００４】
上記課題を解決するために、本考案は次のような構成を有する。
請求項１に記載の考案は、使用者の腰又は胴回りに巻いて固定するベルトと、前記ベルトに両端が固定される、少なくとも一部が弾性により伸縮する部分を有する紐体であって、前記ベルトを使用者に固定した状態で下端の折り返しの位置が、使用者の足裏よりも高い位置に存する長さを有する紐体からなる歩行補助体とを有する歩行補助具である。
請求項２に記載の考案は、前記歩行補助具において、底部分に前記歩行補助体を通すループ状の紐通しが設けられた靴下を、さらに有するものである。
請求項３に記載の考案は、使用者の腰又は胴回りに巻いて固定されるベルトに装着する歩行補助具であって、少なくとも一部が弾性により伸縮する部分を有する紐体からなる本体部と、前記本体部の両端に設けられる前記ベルトに固定するためのフック又はリングからなるベルト固定部とを有し、前記本体部は、前記ベルト固定部を前記使用者が装着した前記ベルトに固定した状態において前記本体部の下端の折り返しの位置が、使用者の足裏よりも高い位置に存する長さを有する歩行補助具である。
請求項４に記載の考案は、請求項３に記載の歩行補助具において、底部分に前記歩行補助体を通すループ状の紐通しが設けられた靴下を、さらに有するものである。
【考案の効果】
【０００５】
請求項１に記載の考案は、使用者がベルトを腰又は胴回りに装着し、歩行補助体の折り返し部分を足の裏で踏むと、折り返しの位置は足の裏の高さよりも高いので、歩行補助体の弾性部分が伸びて足の裏が地面に着いた状態とすることができる。この際、脚全体の重みにより歩行補助体の弾性部分を伸ばすことは比較的容易に行える。そして、この状態で、足を上げると歩行補助体の伸びた弾性部分が縮もうとする力により、足を持ち上げる力が補助され楽に足を上げることができる。その後、再び脚の重みを利用して歩行補助体の弾性部分を伸ばして足の裏を地面につけ、以下このような動作を繰り返して歩行を行う。
このように、本考案を用いると、使用者の足を上げる力を低減させることができるので、筋力が弱っている等の問題があっても比較的楽に歩行を行うことができる。また、体に沿って装着されるので比較的目立つことが無く、さらに、ひも状の素材により形成されるので、コンパクトに収納することが可能である。
請求項３に記載の考案は、市販されているベルトに装着して上記歩行補助具を形成することができる。
請求項２、４に記載の考案は、使用者が歩行補助体または本体部を紐通しに通した靴下を履くことで、脚の裏から歩行補助体または本体部ずれることが無くなるので、これらがずれることを気にして足の角度などを調整しながら歩く必要がなくなり、より快適に使用することができる。
【図面の簡単な説明】
【０００６】
【図１】実施形態１に係る歩行補助具の斜視図である。
【図２】実施形態１に係る歩行補助具の使用状態を示す正面図である。
【図３】実施形態２に係る歩行補助具の斜視図である。
【図４】実施形態２に係る歩行補助具の靴下部を下方から見た拡大斜視図である。
【考案を実施するための形態】
【０００７】
以下、本考案の実施の形態について、図面を参照しながら説明する。
（実施形態１）
図１に本実施形態１に係る歩行補助具Xの斜視図を示す。歩行補助具Ｘは、ベルト１０、歩行補助体２０とから構成される。ベルト１０は、一般的なズボン用のベルトで構成され、使用者の腰や胴回りに巻いて固定される。
歩行補助体２０は、本体部２１と、ベルト固定部２２とから構成される。本体部２１は、ゴムの平ベルトを、筒状に形成した布のカバーで覆ったものであり、カバーを平ベルトよりも長く形成し蛇腹のように弛ませることで本体部２１全体がゴムの弾性力により伸縮できるようになっている。なお、ゴムの弾性力は、脚の重みで伸びる程度のものが採用される。ベルト固定部２２は、本体部２１の両端に設けられるものであって、ベルト１０に通す帯び体をリング状に形成したベルト係合部２２ａ、本体部２１を長さ調節可能に留めるベルト送り２２ｂ、ベルト送り２２ｂとベルト係合部とを連結する連結部２２ｃとから構成される。
【０００８】
次に、以上のような構成を有する歩行補助具Ｘの使用方法について説明する。使用者は、図２に示すようにベルト１０を胴回り若しくは腰回りに巻いて固定する。そして、歩行補助体２０の本体部２１の下端の折り返し部分を足の裏で踏む。この際、足の裏で踏んだときに本体部２１が伸びるように、使用者に応じてベルト固定部２２のベルト送り２２ｂによる本体部２１の係合位置を足の裏の位置よりも高くなるように予め調整しておく。この状態で使用者が歩行すると、足を上げようとする場合には本体部２１の弾性により元の長さに縮もうとする力によって、足を上げる力が補助され楽に足を上げることができる。そして、足を下ろす際には、脚全体の重さがあるので、力を抜けば容易に本体部２１を伸ばして足を地面に着けることができる。以下、足の上げ下げを行うことで楽に歩行を行うことができる。
【０００９】
（実施形態２）
図３に実施形態２に係る歩行補助具Ｙの斜視図を示す。歩行補助具Ｙの実施形態１に係る歩行補助具Ｘとの違いは、靴下３０が設けられている点である。図４に靴下３０を下方から見た拡大斜視図を示す。図４に示すように靴下３０の底部分には帯体の両端を固定することでループ状に形成された紐通し３１が設けられており、この紐通し３１に歩行補助部２０の本体部２１が通されている。
実施形態１に係る歩行補助具Ｘは家の中で裸足で使用する場合に好適であるが、外出時に靴を履くような場合、一般的な靴下を用いると本体部２１がずれて外れる懸念がある。しかし、本実施形態２に係る歩行補助具Ｙでは靴下３０に紐通し３１が設けられているのでこのような懸念がなく、安心して靴を履き外出することができる。なお、外出時には、本体部２１は目立たせないようにするためにズボンの中に入れるようにしてもよい。
【００１０】
以上のように本実施形態に係る歩行補助具Ｘ、Ｙは足を上げる力を補助するので、筋力が衰えていたり、関節が痛んでいたりする場合に、歩行を楽に行えるようにでき、また、多少の筋肉も使う必要があるので、筋力の衰えも抑制することができる。さらに、脚に沿って装着されるのであまり目立つことがなく、紐状の柔らかい素材により形成されるので小さく折り畳んで収納することができる。
なお、上記実施形態では本体部２１全体をゴム紐としているが、一部のみをゴム紐としてよく、また、弾性力により上方に引っ張る力を付与できればよいので、上方の一部をバネにより形成してもよい。
また、上記実施形態では、ベルト１０は一般的なズボン用のベルトを採用し、ベルト固定部２２にベルトを通すリング状のベルト係合部２２ａを設けることで種々のベルトに交換できるという利点を有するが、ベルトを専用品として本体部２１をベルトに一体に固定するようにしてもよい。それから、ベルト係合部２２ａはリング状とする代わりにフックによって形成してもよい。
さらに、上記実施形態では片足のみに装着した例を示しているが、両足に設けてもよいことはいうまでも無い。
【符号の説明】
【００１１】
Ｘ、Ｙ  歩行補助具
１０  ベルト部
２０  歩行補助部
２１  本体部
２２  ベルト固定部
２２ａ  ベルト係合部
２２ｂ  ベルト通し
３０  靴下
３１  紐通し
【図１】
0003171272.tif 000003
【図２】
0003171272.tif 000004
【図３】
0003171272.tif 000005
【図４】
0003171272.tif 000006